(57)【要約】  外部記憶装置内に記憶されたコンテンツを読取装置で読み出すことを可能にするシステムが、開示される。読取装置は、読み出し専用装置であり、かつ、ディスプレイと、読取装置の動作を制御するためのプロセッサーと、外部記憶装置を動作可能に接続するためのポートとを有する。外部記憶装置は、不揮発性記憶装置と、セントラルプロセッサーとを有する。セントラルプロセッサーは、必要条件が満たされると、不揮発性記憶装置内に記憶されたコンテンツを読取装置へダウンロードすることができる。必要条件は、読取装置からの正しい暗号鍵の受信およびリアルタイムクロックによって決定される開始日時への到達の中の少なくとも１つである。また、読取装置、外部記憶装置、および、それらに対応する方法が、開示される。【選択図】  図１
2009525530.tif 000002
【特許請求の範囲】
【請求項１】
外部記憶装置内に記憶されたコンテンツを読取装置で読み出すことを可能にするシステムであって、
前記読取装置が、読み出し専用装置であり、かつ、ディスプレイと、前記読取装置の動作を制御するためのプロセッサーと、前記外部記憶装置を動作可能に接続するためのポートとを有し、
前記外部記憶装置が、不揮発性記憶装置と、セントラルプロセッサーとを有し、前記セントラルプロセッサーが、必要条件が満たされると、前記不揮発性記憶装置内に記憶された前記コンテンツを前記読取装置へダウンロードすることができ、
前記必要条件が、前記読取装置からの正しい暗号鍵の受信およびリアルタイムクロックによって決定される開始日時への到達から構成されるグループから選択された少なくとも１つである、
システム。
【請求項２】
前記リアルタイムクロックが、前記外部記憶装置の一部である請求項１に記載のシステム。
【請求項３】
前記読取装置が、前記ディスプレイを制御するための複数の制御装置を有し、前記複数の制御装置が、カラー、ブライトネス、コントラスト、オン／オフ、ズーム、および、カーソルから構成されるグループから選択された少なくとも１つを含む請求項１または２に記載のシステム。
【請求項４】
前記暗号鍵が、前記読取装置内に記憶され、前記外部記憶装置と前記読取装置とが動作可能に接続された後に、前記外部記憶装置へ送信される請求項１〜３のいずれか一項に記載のシステム。
【請求項５】
前記セントラルプロセッサーが、前記開始日時を記憶する請求項１〜４のいずれか一項に記載のシステム。
【請求項６】
前記セントラルプロセッサーが、さらに、終了日時を記憶し、前記リアルタイムクロックが、さらに、前記終了日時への到達を決定する請求項１〜５のいずれか一項に記載のシステム。
【請求項７】
前記終了日時に達すると、すべてのダウンロードが、終了し、前記コンテンツが前記読取装置上に表示されないようになっている、請求項６に記載のシステム。
【請求項８】
前記読取装置が、円滑なダウンロードおよび表示のためのバッファーをさらに備える請求項１〜７のいずれか一項に記載のシステム。
【請求項９】
前記外部記憶装置が、前記暗号鍵を用いて前記コンテンツを暗号化および解読するための暗号化モジュールをさらに備える請求項１〜８のいずれか一項に記載のシステム。
【請求項１０】
読取装置であって、
当該読取装置が、読み出し専用装置であり、かつ、ディスプレイと、当該読取装置の動作を制御するためのプロセッサーと、外部記憶装置を動作可能に接続するためのポートとを有し、
当該読取装置が、必要条件が満たされると、不揮発性記憶装置内に記憶されたコンテンツを当該読取装置へダウンロードすることができ、
前記必要条件が、当該読取装置による前記外部記憶装置への正しい暗号鍵の送信およびリアルタイムクロックによって決定される開始日時への到達から構成されるグループから選択された少なくとも１つである、
読取装置。
【請求項１１】
前記リアルタイムクロックが、前記外部記憶装置の一部である請求項１０に記載の読取装置。
【請求項１２】
前記リアルタイムクロックが、当該読取装置の一部である請求項１０に記載の読取装置。
【請求項１３】
当該読取装置が、前記ディスプレイを制御するための複数の制御装置を有し、前記複数の制御装置が、カラー、ブライトネス、コントラスト、オン／オフ、ズーム、および、カーソルから構成されるグループから選択された少なくとも１つを含む請求項１０〜１２のいずれか一項に記載の読取装置。
【請求項１４】
前記暗号鍵が、当該読取装置内に記憶され、前記外部記憶装置と当該読取装置とが動作可能に接続された後に、前記外部記憶装置へ送信される請求項１０〜１３のいずれか一項に記載の読取装置。
【請求項１５】
円滑なダウンロードおよび表示のためのバッファーをさらに備える請求項１０〜１４のいずれか一項に記載の読取装置。
【請求項１６】
当該読取装置が、請求項１〜９のいずれか一項に記載のシステムにおいて使用するためのものである請求項１０〜１５のいずれか一項に記載の読取装置。
【請求項１７】
不揮発性記憶装置とセントラルプロセッサーとを備えた外部記憶装置であって、
前記セントラルプロセッサーが、必要条件が満たされると、前記不揮発性記憶装置内に記憶されたコンテンツを読取装置へダウンロードすることができ、
前記必要条件が、前記読取装置からの正しい暗号鍵の受信およびリアルタイムクロックによって決定される開始日時への到達から構成されるグループから選択された少なくとも１つである、
外部記憶装置。
【請求項１８】
前記リアルタイムクロックが、当該外部記憶装置の一部である請求項１７に記載の外部記憶装置。
【請求項１９】
前記暗号鍵が、前記読取装置内に記憶され、当該外部記憶装置と前記読取装置とが動作可能に接続された後に、当該外部記憶装置へ送信される請求項１７または１８に記載の外部記憶装置。
【請求項２０】
前記セントラルプロセッサーが、前記開始日時を記憶する請求項１７〜１９のいずれか一項に記載の外部記憶装置。
【請求項２１】
前記セントラルプロセッサーが、さらに、終了日時を記憶し、前記リアルタイムクロックが、さらに、前記終了日時への到達を決定する請求項１７〜２０のいずれか一項に記載の外部記憶装置。
【請求項２２】
前記終了日時に達すると、すべてのダウンロードが、終了し、前記コンテンツが、前記読取装置上に表示されないようになっている請求項２１に記載の外部記憶装置。
【請求項２３】
前記暗号鍵を用いて前記コンテンツを暗号化および解読するための暗号化モジュールをさらに備える請求項１７〜２２のいずれか一項に記載の外部記憶装置。
【請求項２４】
外部記憶装置内に記憶されたコンテンツを読取装置で読み出すことを可能にする方法であって、
前記読取装置が、読み出し専用装置であり、かつ、ディスプレイと、前記読取装置の動作を制御するためのプロセッサーと、前記外部記憶装置を動作可能に接続するためのポートとを有し、
前記外部記憶装置が、不揮発性記憶装置と、セントラルプロセッサーとを有し、
当該方法が、
前記ポートを用いて前記外部記憶装置を前記読取装置に接続するステップと、
必要条件を満たすステップと
を備え、
前記セントラルプロセッサーが、前記必要条件が満たされると、前記不揮発性記憶装置内に記憶された前記コンテンツを前記読取装置へダウンロードすることができ、
前記必要条件が、前記読取装置からの正しい暗号鍵の受信およびリアルタイムクロックによって決定される開始日時への到達から構成されるグループから選択された少なくとも１つである、
方法。
【請求項２５】
前記リアルタイムクロックが、前記外部記憶装置の一部である請求項２４に記載の方法。
【請求項２６】
前記暗号鍵が、前記読取装置内に記憶され、前記外部記憶装置と前記読取装置とが動作可能に接続された後に、前記外部記憶装置へ送信される請求項２４または２５に記載の方法。
【請求項２７】
前記セントラルプロセッサーが、前記開始日時を記憶する請求項２４〜２６のいずれか一項に記載の方法。
【請求項２８】
前記セントラルプロセッサーが、さらに、終了日時を記憶し、前記リアルタイムクロックが、さらに、前記終了日時への到達を決定する請求項２４〜２７のいずれか一項に記載の方法。
【請求項２９】
前記終了日時に達すると、すべてのダウンロードが、終了し、前記コンテンツが、前記読取装置上に表示されないようになっている請求項２８に記載の方法。
【発明の詳細な説明】
【技術分野】
【０００１】
本発明は、外部記憶装置のコンテンツを読み出すためのシステム、方法、および、装置に関し、また、そのような読み出しを可能にする外部記憶装置に関する。
【背景】
【０００２】
コンピュータおよびそれに類似する装置とともに使用するための外部記憶装置が、普及しつつある。例えば、ＵＳＢフラッシュドライブは、現在、きわめて小さいものであり、最大で数ＧＢの記憶容量を有する。ポータブルディスクドライブは、現在、きわめてコンパクトなものであり、さらに大きな記憶容量を有する。しかしながら、そのような外部記憶装置上に記憶されたコンテンツを読み出すことは、通常、全機能搭載型のＰＣ、ラップトップ、ＰＤＡなどのようなマシンを必要とする。そのようなマシンは、コンテンツを読み出すものであり、生成するものであり、受信するものであり、また、送信するものであるので、それらのマシンは、当然ながら、かなり複雑で高価なものである。きわめて簡素で安価なマシンが、望ましい。また、記憶されたコンテンツへのアクセスを例えば暗号化および／または時刻によって制御することは、有益なことでもある。
【概要】
【０００３】
例示的態様によれば、外部記憶装置内に記憶されたコンテンツを読取装置で読み出すことを可能にするシステムが、提供され、この読取装置は、読み出し専用装置であり、かつ、ディスプレイと、読取装置の動作を制御するためのプロセッサーと、外部記憶装置を動作可能に接続するためのポートとを有し、外部記憶装置は、不揮発性記憶装置と、セントラルプロセッサーとを有し、セントラルプロセッサーは、必要条件が満たされると、不揮発性記憶装置内に記憶されたコンテンツを読取装置へダウンロードすることができ、その必要条件は、読取装置からの正しい暗号鍵の受信およびリアルタイムクロックによって決定される開始日時への到達から構成されるグループから選択された少なくとも１つである。
【０００４】
リアルタイムクロックは、外部記憶装置の一部であってもよい。読取装置は、ディスプレイを制御するための複数の制御装置を有してもよい。複数の制御装置は、カラー、ブライトネス、コントラスト、オン／オフ、ズーム、および、カーソルの中の少なくとも１つを含んでもよい。暗号鍵は、読取装置内に記憶されてもよく、外部記憶装置と読取装置とが動作可能に接続された後に、外部記憶装置へ送信されてもよい。セントラルプロセッサーは、開始日時を記憶してもよい。セントラルプロセッサーは、さらに、終了日時を記憶してもよい。リアルタイムクロックは、さらに、終了日時への到達を決定してもよい。終了日時に達すると、すべてのダウンロードは、終了してもよく、コンテンツは、もはや、読取装置上に表示されなくてもよい。読取装置は、円滑なダウンロードおよび表示のためのバッファーをさらに備えてもよい。外部記憶装置は、暗号鍵を用いてコンテンツを暗号化および解読するための暗号化モジュールをさらに備えてもよい。
【０００５】
例示的な別態様によれば、読取装置が、提供され、この読取装置は、読み出し専用装置であり、かつ、ディスプレイと、読取装置の動作を制御するためのプロセッサーと、外部記憶装置を動作可能に接続するためのポートとを有し、読取装置は、必要条件が満たされると、不揮発性記憶装置内に記憶されたコンテンツを読取装置へダウンロードすることができ、その必要条件は、読取装置による外部記憶装置への正しい暗号鍵の送信およびリアルタイムクロックによって決定される開始日時への到達から構成されるグループから選択された少なくとも１つである。
【０００６】
リアルタイムクロックは、外部記憶装置の一部であってもよく、あるいは、読取装置の一部であってもよい。読取装置は、ディスプレイを制御するための複数の制御装置を有してもよい。複数の制御装置は、カラー、ブライトネス、コントラスト、オン／オフ、ズーム、および、カーソルの中の少なくとも１つを含んでもよい。暗号鍵は、読取装置内に記憶されてもよく、そして、外部記憶装置と読取装置とが動作可能に接続された後に、外部記憶装置へ送信されてもよい。読取装置は、円滑なダウンロードおよび表示のためのバッファーをさらに備えてもよい。読取装置は、上述したシステムにおいて使用するためのものであってもよい。
【０００７】
さらなる例示的態様によれば、不揮発性記憶装置とセントラルプロセッサーとを備えた外部記憶装置が、提供され、そのセントラルプロセッサーは、必要条件が満たされると、不揮発性記憶装置内に記憶されたコンテンツを読取装置へダウンロードすることができ、その必要条件は、読取装置からの正しい暗号鍵の受信およびリアルタイムクロックによって決定される開始日時への到達から構成されるグループから選択された少なくとも１つである。
【０００８】
リアルタイムクロックは、外部記憶装置の一部であってもよい。暗号鍵は、読取装置内に記憶されてもよく、そして、外部記憶装置と読取装置とが動作可能に接続された後に、外部記憶装置へ送信されてもよい。セントラルプロセッサーは、開始日時を記憶してもよい。セントラルプロセッサーは、さらに、終了日時を記憶してもよい。リアルタイムクロックは、さらに、終了日時への到達を決定してもよい。終了日時に達すると、すべてのダウンロードは、終了してもよく、コンテンツは、もはや、前記読取装置上に表示されなくてもよい。外部記憶装置は、暗号鍵を用いてコンテンツを暗号化および解読するための暗号化モジュールをさらに備えてもよい。
【０００９】
最後の例示的態様によれば、外部記憶装置内に記憶されたコンテンツを読取装置で読み出すことを可能にする方法が、提供され、その読取装置は、読み出し専用装置であり、かつ、ディスプレイと、読取装置の動作を制御するためのプロセッサーと、外部記憶装置を動作可能に接続するためのポートとを有し、外部記憶装置は、不揮発性記憶装置と、セントラルプロセッサーとを有し、この方法は、ポートを用いて外部記憶装置を読取装置に接続することと、必要条件を満たすことを備え、セントラルプロセッサーは、必要条件が満たされると、不揮発性記憶装置内に記憶されたコンテンツを読取装置へダウンロードすることができ、必要条件は、読取装置からの正しい暗号鍵の受信およびリアルタイムクロックによって決定される開始日時への到達から構成されるグループから選択された少なくとも１つである。
【００１０】
リアルタイムクロックは、外部記憶装置の一部であってもよい。暗号鍵は、読取装置内に記憶されてもよく、そして、外部記憶装置と読取装置とが動作可能に接続された後に、外部記憶装置へ送信されてもよい。セントラルプロセッサーは、開始日時を記憶してもよい。セントラルプロセッサーは、さらに、終了日時を記憶してもよい。リアルタイムクロックは、さらに、終了日時への到達を決定してもよい。終了日時に達すると、すべてのダウンロードは、終了してもよく、コンテンツは、もはや、前記読取装置上に表示されなくてもよい。
【００１１】
本発明を十分に理解しかつ容易に実施できるように、ここで、添付の図面を参照して、限定するものではない単なる例として典型的な実施形態を説明する。
【例示的実施形態の詳細な説明】
【００１２】
図１〜図３を参照すると、読取装置１００および外部記憶装置２００が、示されている。図示された外部記憶装置２００は、ＳＵＢフラッシュドライブである。しかしながら、外部記憶装置２００は、そのようなものに限定されることはなく、ディスクドライブ、フラッシュカード、コンパクトフラッシュカード、ＳＤカード、ｘＤピクチャーカード、メモリースティック、スマートメディアカード、マルチメディアカード、などを含むどのような形態の外部記憶装置であってもよいが、これらに限定するものではない。読取装置１００は、外部記憶装置２００を取り外し可能にかつ動作可能に収容するポート１０２を有する。外部記憶装置２００は、ポート１０２に直接に接続されることが好ましいが、必要であれば、あるいは、望ましいのであれば、中間ケーブルが、使用されてもよい。
【００１３】
読取装置１００は、プロセッサー１０８およびディスプレイ１１２に電力を供給するための１つまたはそれ以上の電池および／または主電源であってもよい電源１０４を有する。プロセッサー１０８は、読取装置１００の動作を制御する。ポート１０２は、プロセッサー１０８に動作可能に接続されたインタフェース１０を有する。ディスプレイ１１２は、プロセッサー１０８およびディスプレイ１１２に動作可能に接続されたディスプレイドライバ１１０を有する。必要であれば、あるいは、望ましいのであれば、カラー１１４、ブライトネス１１６、および／または、コントラスト１１８のための外部制御装置が、提供されてもよい。外部制御装置１１４、１１６、１１８は、モニターなどでしばしば使用されるような簡単な「＋−」制御装置であってもよい。
【００１４】
さらに、「カーソル」制御装置１２０が、ディスプレイ１１２上において読み出す方向すなわち上方向にまたは下方向に読み出すのを制御するために提供される。ズーム制御装置（図示しない）が、さらに提供されてもよい。最後の制御装置は、オン／オフスイッチ１２４であってもよい。
【００１５】
さらにまた、以下の説明からわかるように、暗号鍵１２２が、記憶装置１００内に記憶されてもよい。暗号鍵１２２は、読取装置１００内に予めロードされたものである。この暗号鍵１２２は、制御管理者（図示しない）によって、プロセッサー１０８および暗号鍵１２２にアクセスするためにポート１０２を介した通信を用いて、適宜、修正され、取り替えられ、更新され、あるいは、訂正されてもよい。読取装置１００のための暗号鍵１２２は、好ましくは、その読取装置１００に固有のものであるが、共同使用のための読取装置１００は、共通暗号鍵１２２を有してもよい。
【００１６】
読取装置１００は、キーボード上にキーパッドを有しておらず、また、タッチスクリーンも有していない。読取装置１００の唯一の目的は、外部記憶装置２００上に記憶されたデータを表示することである。読取装置１００は、そのデータを修正、削除、あるいは、そのデータに追加することはできない。読取装置１００は、読み出し専用装置である。
【００１７】
外部記憶装置２００は、ポート１０２を介して読取装置１００との直接接続が可能であることが好ましい。外部記憶装置２００は、コネクタドライブ２０６を介してコネクタ２０４に動作可能に接続されたプロセッサー２０２を有する。また、そのプロセッサー２０２は、記憶装置コントローラ２１０を介して、不揮発性の記憶装置またはメモリー２０８に動作可能に接続される。
【００１８】
外部記憶装置２００は、また、リアルタイムクロック２１２および暗号化モジュール２１４を有する。暗号化モジュール２１４は、記憶装置２０８に記憶されたデータを暗号化および解読するためのものである。リアルタイムクロック２１２は、記憶装置２０８に記憶されたデータの解放される日時を制御するためのものである。暗号化モジュール２１４とリアルタイムクロック２１２とは、組み合わせて使用されてもよく、お互いに独立して使用されてもよく、あるいは、まったく使用されなくてもよい。これは、記憶装置２０８に記憶されたデータに関する要件に依存する。
【００１９】
動作の考えられる３つの動作方法がある。すなわち、
（i）暗号化されることがなく、かつ、時間的な制約がない。
（ii）暗号化されることはあるが、時間的な制約はない。
（iii）暗号化されることはないが、時間的な制約はある。
（iv）暗号化されることおよび時間的な制約の両方がある。
【００２０】
考えられる第１の方法は、きわめて標準的なものであるため、詳細には説明しない。
【００２１】
第２の方法が、図４に示される。開始点４００において、外部記憶装置２００は、コネクタ２０４をポート１０２内に挿入することによって、読取装置１００に動作可能に接続される。そして、プロセッサー１０８および２０２は、通常のハンドシェイク手順を実行する（４０１）。ハンドシェイク手順が完了すると、読取装置１００は、予めロードされている装置１００の暗号鍵１２２をプロセッサー２０２に、すなわち、暗号化モジュール２１４に送信する（４０２）。そして、鍵１２２が一致するかどうかの判定がなされる（４０３）。一致しなければ、処理は、終了する（４０８）。一致すれば、記憶装置２０８内に存在する要求されたデータが、鍵１２２を用いて解読され（４０４）、読取装置１００へダウンロードされる（４０５）。そして、そのデータは、読取装置１００のディスプレイ画面１１２上に表示される（４０６）。記憶されたデータは、可能性として様々なサイズを有するので、滑らかで途切れのないダウンロードおよび表示のために、バッファー１２６が、読取装置１００内に含まれてもよい。
【００２２】
そして、表示が完了したかどうかの判定がなされる（４０７）。これは、時刻、すべてのデータが読み出されたこと、読取装置１００のスイッチをオフにするユーザアクション、などに基づくものであってもよい。表示が完了したならば、処理は、終了する（４０８）。表示が完了していなければ、短時間の遅延（例えば、数分）（４０９）の後、処理は、（４０７）に戻る。
【００２３】
第３の方法が、図５に示される。開始点５０１において、外部記憶装置２００は、コネクタ２０４をポート１０２内に挿入することによって、読取装置１００に動作可能に接続される。そして、プロセッサー１０８および２０２は、通常のハンドシェイク手順を実行する（５０２）。ハンドシェイク手順が完了すると、ダウンロードが開始される正しい日時かどうかの判定が、リアルタイムクロック２１２を用いて、なされる（５０３）。ダウンロードする正しい日時は、アドミニストレータ（図示しない）によって、プロセッサー２０２内に予め記憶されたものである。正しい日時でなければ、短い遅延（５０４）の後、判定が、反復される（５０５）。それに加えて、あるいは、それの代わりに、現在の日時から予め記憶された日時までの時間間隔が、決定され（５１０）、その時間間隔が満了したときに、（５０３）の処理が、反復される。正しい日時であれば、記憶装置２０８内に存在する要求されたデータが、読取装置１００へダウンロードされる（５０５）。データは、その後、読取装置１００のディスプレイ画面１１２上に表示される（５０６）。記憶されたデータは、可能性として様々なサイズを有するので、この場合にも、滑らかで途切れのないダウンロードおよび表示のために、バッファー１２６が、読取装置１００内に含まれてもよい。
【００２４】
そして、表示が完了したかどうかの判定がなされる（５０７）。これは、時刻、すべてのデータが読み出されたこと、読取装置１００のスイッチをオフにするユーザアクション、などに基づくものであってもよい。また、時刻によって、満了日時が、プロセッサー２０２内に記憶されてもよいことになり、それによって、満了日時に達したとき、ダウンロードは、終了し、読取装置１００におけるすべてのデータは、除去され、その結果として、読取装置１００においてデータのすべてを表示することは、終了する。表示が完了したならば、処理は、終了する（５０９）。表示が完了していなければ、短時間の遅延（例えば、数分）の後（５０８）、処理は、（５０６）に戻る。
【００２５】
第４のオプションが、図６に示される。開始点６０１において、コネクタ２０４をポート１０２内に挿入することによって、外部記憶装置２００が、読取装置１００に動作可能に接続される。そして、プロセッサー１０８および２０２が、通常のハンドシェイク手順を実行する（６０２）。ハンドシェイク手順が完了すると、読取装置１００は、予めロードされている装置１００の暗号鍵１２２をプロセッサー２０２に、すなわち、暗号化モジュール２１４に送信する（６０３）。そして、鍵１２２が一致するかどうかの判定がなされる（６０４）。一致しなければ、処理は、終了する（６１１）。一致すれば、ダウンロードする時刻に達したかどうか、または、ダウンロードする時刻が過ぎたばかりかの判定が、リアルタイムクロック２１２を用いて、なされる（６０５）。過ぎたばかりということは、外部記憶装置２００をポート１０２内に挿入するのが遅れた場合に、期限日時後に短い期間を提供するためのものである。時刻に達していなければ、短時間の遅延（６０６）の後、処理は、（６０５）に戻る。時刻に達していれば、データは、鍵１２２を用いて解読され（６０７）、読取装置１００へダウンロードされ（６０８）、そして、ディスプレイ画面１１２上に表示される（６０９）。記憶されたデータは、可能性として様々なサイズを有するので、この場合にも、滑らかで途切れのないダウンロードおよび表示のために、バッファー１２６が、読取装置１００内に含まれてもよい。
【００２６】
そして、表示が完了したかどうかの判定がなされる（６１０）。これは、時刻、すべてのデータが読み出されたこと、読取装置１００のスイッチをオフにするユーザアクション、などに基づくものであってもよい。また、時刻によって、満了日時が、プロセッサー２０２内に記憶されてもよいことになり、それによって、満了日時に達したとき、ダウンロードは、終了し、読取装置１００におけるすべてのデータは、除去および暗号化され、その結果として、読取装置１００においてデータのすべてを表示することは、終了する。表示が完了したならば、処理は、終了する（６１１）。表示が完了していなければ、短時間の遅延（例えば、数分）（６１２）の後、処理は、（６０９）に戻る。
【００２７】
時刻によるダウンロードは、様々な時刻において様々なファイルに対するものであってもよい。同様に、ダウンロードは、様々な暗号鍵に対する様々なファイルに対するものであってもよい。
【００２８】
したがって、読取装置１００および外部記憶装置２００は、予め定められた日時に限り一人またはそれ以上の人に外部記憶装置２００のコンテンツを読ませることが望ましい状況において、有利に使用することができる。これは、例えば、コンテンツが試験問題である試験、コンテンツが多くのメディアリリースであるマスコミへの説明会、例えば予算案のような重要な刊行物を公表するための政府機関または政府部局、などのような状況に意義を有しうる。満了時刻を有することによって、満了時刻は試験の終了時刻とできるため、試験への使用は拡張される。これにより、受験者は、試験問題を読むことができなくなるので、指定された時刻に答案作成を停止しなければならない。たとえ、予め記憶された日時よりも前に、外部記憶装置２００がポート１０２内に挿入され、かつ、読取装置１００がスイッチをオンにされたとしても、ダウンロードは、その予め記憶された開始日時まで始まることはなく、かつ、満了日時には、あらゆる読み出しは、終了する。
【００２９】
リアルタイムクロック２１２は、外部記憶装置２００の一部ではなく、むしろ、読取装置１００の一部を構成してもよい。
【００３０】
これまでに、例示的実施形態が、説明されたが、多くの変更が、本発明から逸脱することなく、設計、構造、および／または、動作の細部になされてもよいことが当業者には理解される。
【図面の簡単な説明】
【００３１】
【図１】例示的読取装置および外部記憶装置から構成される組立品の正面斜視図である。
【図２】図１の例示的読取装置のブロック図である。
【図３】図１の例示的外部記憶装置のブロック図である。
【図４】図１に示される組立品の例示的動作を説明するフローチャートである。
【図５】図１に示される組立品の別の例示的動作を説明するフローチャートである。
【図６】図１に示される組立品のさらなる例示的動作を説明するフローチャートである。
【符号の説明】
【００３２】
１０…インタフェース、１００…読取装置、１０２…ポート、１０４…電源、１０８…プロセッサー、１１０…ディスプレイドライバ、１１２…ディスプレイ、１１４…カラー、１１６…ブライトネス、１１８…コントラスト、１２０…カーソル制御装置、１２２…暗号鍵、１２４…オン／オフスイッチ、１２６…バッファー、２００…外部記憶装置、２０２…プロセッサー、２０４…コネクタ、２０６…コネクタドライブ、２０８…メモリー、２１０…記憶装置コントローラ、２１２…リアルタイムクロック、２１４…暗号化モジュール
【図１】
2009525530.tif 000003
【図２】
2009525530.tif 000004
【図３】
2009525530.tif 000005
【図４】
2009525530.tif 000006
【図５】
2009525530.tif 000007
【図６】
2009525530.tif 000008
【手続補正書】
【提出日】平成20年7月30日(2008.7.30)
【手続補正１】
【補正対象書類名】特許請求の範囲
【補正対象項目名】全文
【補正方法】変更
【補正の内容】
【特許請求の範囲】
【請求項１】
外部記憶装置内に記憶されたコンテンツを読取装置で読み出すことを可能にするシステムであって、
前記読取装置が、読み出し専用装置であり、かつ、ディスプレイと、前記読取装置の動作を制御するためのプロセッサーと、前記外部記憶装置を動作可能に接続するためのポートとを有し、
前記外部記憶装置が、不揮発性記憶装置と、セントラルプロセッサーとを有し、前記セントラルプロセッサーが、必要条件が満たされると、前記不揮発性記憶装置内に記憶された前記コンテンツを前記読取装置へダウンロードすることができ、
前記必要条件が、前記読取装置からの正しい暗号鍵の受信およびリアルタイムクロックによって決定される開始日時への到達から構成されるグループから選択された少なくとも１つである、
システム。
【請求項２】
前記リアルタイムクロックが、前記外部記憶装置の一部および前記読取装置の一部から構成されるグループから選択される請求項１に記載のシステム。
【請求項３】
前記読取装置が、前記ディスプレイを制御するための複数の制御装置を有し、前記複数の制御装置が、カラー、ブライトネス、コントラスト、オン／オフ、ズーム、および、カーソルから構成されるグループから選択された少なくとも１つを含み、前記読取装置が、前記暗号鍵を記憶し、前記外部記憶装置と前記読取装置とが動作可能に接続された後に、前記外部記憶装置へ送信される請求項１に記載のシステム。
【請求項４】
前記セントラルプロセッサーが、前記開始日時を記憶し、前記セントラルプロセッサーが、さらに、終了日時を記憶し、前記リアルタイムクロックが、さらに、前記終了日時への到達を決定するためのものであり、前記終了日時に達すると、すべてのダウンロードが、終了し、前記コンテンツが、前記読取装置上に表示されないようになっている請求項１に記載のシステム。
【請求項５】
前記読取装置が、円滑なダウンロードおよび表示のためのバッファーをさらに備え、前記外部記憶装置が、前記暗号鍵を用いて前記コンテンツを暗号化および解読するための暗号化モジュールをさらに備える請求項１〜４のいずれか一項に記載のシステム。
【請求項６】
読取装置であって、
当該読取装置が、読み出し専用装置であり、かつ、ディスプレイと、当該読取装置の動作を制御するためのプロセッサーと、外部記憶装置を動作可能に接続するためのポートとを有し、
当該読取装置が、必要条件が満たされると、不揮発性記憶装置内に記憶されたコンテンツを当該読取装置へダウンロードすることができ、
前記必要条件が、当該読取装置による前記外部記憶装置への正しい暗号鍵の送信およびリアルタイムクロックによって決定される開始日時への到達から構成されるグループから選択された少なくとも１つである、
読取装置。
【請求項７】
前記リアルタイムクロックが、前記外部記憶装置の一部および当該読取装置の一部から構成されるグループから選択される請求項６に記載の読取装置。
【請求項８】
当該読取装置が、前記ディスプレイを制御するための複数の制御装置を有し、前記複数の制御装置が、カラー、ブライトネス、コントラスト、オン／オフ、ズーム、および、カーソルから構成されるグループから選択された少なくとも１つを含み、当該読取装置が、前記暗号鍵を記憶し、前記外部記憶装置と当該読取装置とが動作可能に接続された後に、前記外部記憶装置へ送信される請求項６に記載の読取装置。
【請求項９】
円滑なダウンロードおよび表示のためのバッファーをさらに備える請求項６に記載の読取装置。
【請求項１０】
当該読取装置が、請求項１〜５のいずれか一項に記載のシステムにおいて使用するためのものである請求項６〜９のいずれか一項に記載の読取装置。
【請求項１１】
不揮発性記憶装置とセントラルプロセッサーとを備えた外部記憶装置であって、
前記セントラルプロセッサーが、必要条件が満たされると、前記不揮発性記憶装置内に記憶されたコンテンツを読取装置へダウンロードすることができ、
前記必要条件が、前記読取装置からの正しい暗号鍵の受信およびリアルタイムクロックによって決定される開始日時への到達から構成されるグループから選択された少なくとも１つである、
外部記憶装置。
【請求項１２】
前記リアルタイムクロックが、前記外部記憶装置の一部であり、前記暗号鍵が、前記読取装置内に記憶され、前記外部記憶装置と前記読取装置とが動作可能に接続された後に、前記外部記憶装置へ送信される請求項１１に記載の外部記憶装置。
【請求項１３】
前記セントラルプロセッサーが、前記開始日時、さらには、終了日時を記憶し、前記リアルタイムクロックが、さらに、前記終了日時への到達を決定し、それによって、前記終了日時に達すると、すべてのダウンロードが、終了し、前記コンテンツが、前記読取装置上に表示されない請求項１１に記載の外部記憶装置。
【請求項１４】
前記外部記憶装置が、前記暗号鍵を用いて前記コンテンツを暗号化および解読するための暗号化モジュールをさらに備える請求項１１に記載の外部記憶装置。
【請求項１５】
外部記憶装置内に記憶されたコンテンツを読取装置で読み出すことを可能にする方法であって、
前記読取装置が、読み出し専用装置であり、かつ、ディスプレイと、前記読取装置の動作を制御するためのプロセッサーと、前記外部記憶装置を動作可能に接続するためのポートとを有し、
前記外部記憶装置が、不揮発性記憶装置と、セントラルプロセッサーとを有し、
当該方法が、
前記ポートを用いて前記外部記憶装置を前記読取装置に接続するステップと、
必要条件を満たすステップと
を備え、
前記セントラルプロセッサーが、前記必要条件が満たされると、前記不揮発性記憶装置内に記憶された前記コンテンツを前記読取装置へダウンロードすることができ、
前記必要条件が、前記読取装置からの正しい暗号鍵の受信およびリアルタイムクロックによって決定される開始日時への到達から構成されるグループから選択された少なくとも１つである、
方法。
【請求項１６】
前記リアルタイムクロックが、前記外部記憶装置の一部であり、前記暗号鍵が、前記読取装置内に記憶され、前記外部記憶装置と前記読取装置とが動作可能に接続された後に、前記外部記憶装置へ送信される請求項１５に記載の方法。
【請求項１７】
前記セントラルプロセッサーが、前記開始日時、さらには、終了日時を記憶し、前記リアルタイムクロックが、さらに、前記終了日時への到達を決定し、それによって、前記終了日時に達すると、すべてのダウンロードが、終了し、前記コンテンツが、前記読取装置上に表示されないようになっている請求項１５または１６に記載の方法。
【国際調査報告】
2009525530.tif 000009
2009525530.tif 000010